(57)【要約】【課題】高速通信を行うことができる通信量の最大通信量が定められている場合に、ユーザのサービスに対する満足度の低下を解決する通信システムを提供すること。【解決手段】本発明にかかる通信システムは、第１のＷＡＮ回線を用いて通信事業者ネットワーク１と接続する通信装置１０と、第２のＷＡＮ回線を用いて通信事業者ネットワーク２と接続し、さらに、第１のＬＡＮ回線を用いて通信装置１０と接続する通信装置２０と、を備える。通信装置１０は、第１のＬＡＮ回線を用いて通信装置２０と接続した際に、通信装置２０と通信事業者ネットワーク２との間の通信量が閾値を超えているか否かを判定する通信量判定部１１と、通信装置２０の通信量が閾値を超えている場合、第１のＷＡＮ回線を用いて、通信装置２０と、通信事業者ネットワーク１との間の通信を中継する通信制御部１２とを有する。【選択図】図１
2015185903.tif 000002
【特許請求の範囲】
【請求項１】
第一の通信装置と通信を行う第一の通信手段と、
前記第一の通信手段を介して、前記第一の通信装置が第二の通信装置と行う通信の通信状況を取得し、前記通信状況に基づいて、前記第一の通信装置と前記第二の通信装置との間の通信経路を変更させる変更指示を出力する制御手段とを有する、通信装置。
【請求項２】
前記制御手段は、
前記第一の通信装置が有する、前記第一の通信手段に対応する第二の通信手段から、前記通信状況を取得する、請求項１に記載の通信装置。
【請求項３】
前記制御手段は、
前記第一の通信装置の有する第二の通信手段とは異なる第三の通信手段による通信状況を取得することを特徴とする、請求項１又は２に記載の、通信装置。
【請求項４】
前記制御手段は、
前記通信状況が所定値以上である場合には、前記変更指示に、前記第三の通信手段による通信を制限する制限指示を行う、請求項３に記載の通信装置。
【請求項５】
前記制御手段は、
前記通信状況が所定値以上である場合には、前記第一の通信装置に対し、前記第三の通信手段に替えて、前記第二の通信手段による通信を継続する継続指示を行う、請求項３又は４に記載の通信装置。
【請求項６】
前記制御手段は、
前記通信状況を取得した後に行われた前記第一の通信手段による通信において、前記通信状況を取得する、請求項１乃至５のいずれか１項に記載の通信装置。
【請求項７】
前記制御手段は、
前記通信状況を取得するための機能を有し、前記機能を起動した状態において行われた前記第一の通信手段による通信において、前記通信状況を取得する、請求項１乃至５のいずれか１項に記載の、通信装置。
【請求項８】
前記第一の通信手段は、非接触ICタグを利用した通信であることを特徴とする、請求項１乃至７のいずれか１項に記載の、通信装置。
【請求項９】
第一の通信手段を有する通信装置と、
第二の通信手段と、第三の通信手段を有する第一の通信装置と、
前記第一の通信装置の前記第三の通信手段と通信を行う第二の通信装置とからなり、
前記通信装置は、
前記第一の通信手段を介して、前記第一の通信装置の第三の通信手段による通信状況を取得し、前記取得した結果に基づいて、前記第一の通信装置に対して、前記第三の通信手段による通信に替えて、第二の通信手段によって、前記第二の通信装置と通信させることを特徴とする、通信システム。
【請求項１０】
第一の通信手段を介して、第一の通信装置が第二の通信装置と行う通信の通信状況を取得し、
前記通信状況に基づいて、前記第一の通信装置と前記第二の通信装置との間の通信経路を変更させる変更指示を出力する、通信方法。
【発明の詳細な説明】
【技術分野】
【０００１】
本発明は通信システム、通信装置、通信システム及び通信方法に関し、例えばＷＡＮ回線及びＬＡＮ回線を介した通信を行う通信装置、通信システム及び通信方法ムに関する。
【背景技術】
【０００２】
携帯電話端末等を用いた通信量が増大していることもあり、携帯電話端末における通信速度の高速化が望まれている。一般的な携帯電話端末は、３ＧＰＰ（3rd Generation Partnership）において規格化されているいわゆる３Ｇ通信を実行しており、数Ｍｂｐｓ程度の通信速度にて通信を行っている。
【０００３】
また、無線ＬＡＮ通信もしくはＷｉＭＡＸ（Worldwide Interoperability for Microwave Access）通信等の高速通信回線をサポートし、携帯電話端末とインターネット等の公衆ネットワークとの間の通信を中継するモバイルルータが普及している。無線ＬＡＮ通信もしくはＷｉＭＡＸ通信等の高速通信回線は、数十Ｍｂｐｓ程度の通信速度を実現している。携帯電話端末と、モバイルルータとは、例えば、Bluetooth（登録商標）等の近距離無線通信方式もしくは無線ＬＡＮ通信方式等を用いて、他の端末と直接接続する。携帯電話端末を有するユーザは、モバイルルータを介してインターネットにアクセスすることによって、３Ｇ通信を用いる場合よりも高速通信を実行することができる。特許文献１には、基地局が、モバイルルータに対して効率的に無線リソースを割り当てる処理が開示されている。
【先行技術文献】
【特許文献】
【０００４】
【特許文献１】特開２０１３−２１９５１９号公報
【発明の概要】
【発明が解決しようとする課題】
【０００５】
近年、ＬＴＥ（Long Term Evolution）等の高速無線アクセス方式をサポートするスマートフォン端末（高機能携帯電話）が急速に普及している。ＬＴＥは、移動通信システムの標準規格を定める３ＧＰＰにおいて定められた通信方式である。スマートフォン端末は、ＬＴＥ通信を行うことによって、無線ＬＡＮ通信もしくはＷｉＭＡＸ通信等よりも高速な通信を行うことができる。スマートフォン端末は、様々なアプリケーションを搭載して通信を行うことによって、一般的な携帯電話端末と比較して通信量が増大する。
【０００６】
さらに、ＬＴＥ通信を提供する通信事業者は、一般的に、一か月間における最大通信量を規定しており、スマートフォン端末における通信量が最大通信量に達した後は、速度制限を設け、スマートフォン端末を低速通信に移行させる。そのため、ユーザは、通信量が最大通信量に達した後は、満足するサービスを受けることができないという問題がある。また、早々に最大通信量に達してしまった場合、その後に低速通信を行う期間が長くなり、ユーザのサービスに対する満足度はさらに低下するという問題がある。
【０００７】
本発明の目的は、上述した課題である、高速通信を行うことができる通信量の最大通信量が定められている場合に、ユーザのサービスに対する満足度の低下を解決する通信装置、通信システム及び通信方法を提供することにある。
【課題を解決するための手段】
【０００８】
本発明の第１の態様にかかる通信装置は、第一の通信装置と通信を行う第一の通信手段と、前記第一の通信手段を介して、前記第一の通信装置が第二の通信装置と行う通信の通信状況を取得し、前記通信状況に基づいて、前記第一の通信装置と前記第二の通信装置との間の通信経路を変更させる変更指示を出力する制御手段とを有するものである。
【０００９】
本発明の第２の態様にかかる通信システムは、第一の通信手段を有する通信装置と、第二の通信手段と、第三の通信手段を有する第一の通信装置と、前記第一の通信装置の前記第三の通信手段と通信を行う第二の通信装置とからなり、前記通信装置は、前記第一の通信手段を介して、前記第一の通信装置の第三の通信手段による通信状況を取得し、前記取得した結果に基づいて、前記第一の通信装置に対して、前記第三の通信手段による通信に替えて、第二の通信手段によって、前記第二の通信装置と通信させることを特徴とする、通信システムを備えるものである。
【００１０】
本発明の第３の態様にかかる通信方法は、第一の通信手段を介して、第一の通信装置が第二の通信装置と行う通信の通信状況を取得し、前記通信状況に基づいて、前記第一の通信装置と前記第二の通信装置との間の通信経路を変更させる変更指示を出力する、ものである。
【発明の効果】
【００１１】
本発明により、高速通信を行うことができる通信量の最大通信量が定められている場合に、ユーザのサービスに対する満足度の低下を解決する通信装置、通信システム及び通信方法を提供することができる。
【図面の簡単な説明】
【００１２】
【図１】実施の形態１にかかる通信システムの構成図である。
【図２】実施の形態２にかかる通信システムの構成図である。
【図３】実施の形態２にかかる通信システムの構成図である。
【図４】実施の形態２にかかる通信システムの構成図である。
【図５】実施の形態２にかかるモバイルルータの構成図である。
【図６】実施の形態２にかかるモバイルルータにおいてパケット数カウント切替モードが設定されている場合の処理の流れを示す図である。
【図７】実施の形態２にかかるモバイルルータにおいて強制切替モードが設定されている場合の処理の流れを示す図である。
【図８】実施の形態２にかかるモバイルルータにおいて固定モードが設定されている場合の処理の流れを示す図である。
【図９】実施の形態３にかかるモバイルルータにおいてアプリケーションに応じた切替処理の流れを示す図である。
【発明を実施するための形態】
【００１３】
（実施の形態１）
以下、図面を参照して本発明の実施の形態について説明する。図１の通信システムは、通信装置１００、通信装置１０１及び通信装置１０２を有している。通信装置１１０の構成例について説明する。通信装置１１０は、通信手段１０１及び制御手段１０５を有している。また、通信装置１１１は、通信手段１０２及び通信手段１０３を有している。
【００１４】
通信装置１１０は、通信手段１０１を用いて通信装置１１１と通信を行う。制御手段１０５は、通信手段１０１を介して、通信装置１１１が通信装置１１２と行う通信の通信状況を取得する。通信状況は、例えば、通信装置１１１と通信装置１１２との間の通信量、通信パケット数等であってもよい。
【００１５】
制御手段１０５は、取得した通信状況に基づいて、通信装置１１１と通信装置１１２との間の通信経路を変更させる変更指示を出力する。例えば、制御手段１０５は、通信装置１１１が、通信手段１０３を用いて通信装置１１２と通信している場合に、変更指示を出力することによって、通信手段１０２を用いて通信装置１１２と通信させてもよい。通信装置１１１が、通信手段１０２を用いる場合、通信装置１１０が、通信装置１１１と通信装置１１２との間の通信を中継する。
【００１６】
以上説明したように、図１の通信システムを用いることによって、通信装置１１１と通信装置１１２との間の通信状況に応じて、通信装置１１０を経由させて、通信装置１１１と通信装置１１２との間の通信を行うことができる。
【００１７】
（実施の形態２）
続いて、図２を用いて本発明の実施の形態２にかかる通信システムの構成例について説明する。図２の通信システムは、ネットワーク１、ネットワーク２、通信装置１０及び通信装置２０を有している。ネットワーク１及びネットワーク２は、通信事業者が提供するネットワークである。ネットワーク１を提供する通信事業者は、ネットワーク２を提供する通信事業者と異なる通信事業者であってもよい。ネットワーク１及びネットワーク２は、例えば、ＷｉＭＡＸ通信方式を用いるネットワークもしくはＬＴＥ通信方式を用いるネットワークであってもよく、他の通信方式を用いるネットワークであってもよい。
【００１８】
通信装置１０は、ＷＡＮ（Wide Area Network）回線を用いてネットワーク１と接続する。通信装置２０は、ＷＡＮ回線を用いてネットワーク２と接続する。また、通信装置２０は、ＬＡＮ回線を用いて通信装置１０と接続する。つまり、通信装置２０は、通信装置１０を介してネットワーク１に接続することができる。ここで、通信装置２０は、携帯電話端末もしくはスマートフォン端末等の、通信機能を有するコンピュータ装置であってもよい。通信装置１０は、ネットワーク１に接続するとともに、ネットワーク１と通信装置２０との間の通信を中継することができる装置である。具体的には、通信装置１０は、モバイルルータ等であってもよい。通信装置１０と通信装置２０とは、例えば近距離無線通信を用いて接続する。近距離無線通信は、例えば、赤外線通信、Bluetooth（登録商標）通信もしくは無線ＬＡＮ通信等であってもよい。
【００１９】
続いて、通信装置１０の構成例について説明する。通信装置１０は、通信量判定部１１及び通信制御部１２を有している。
【００２０】
通信量判定部１１は、ＬＡＮ回線を用いて通信装置２０と接続した際に、通信装置２０の通信量が閾値を超えているか否かを判定する。通信装置２０の通信量は、通信装置２０とネットワーク２との間で通信されるデータの通信量である。通信量は、例えば、パケット数もしくはフレーム数であってもよく、ビット数もしくはバイト数等であってもよい。また、ネットワーク２において高速通信を行うことができる最大通信量が定められている場合、通信量は、最大通信量に対する現在までの通信量の割合であってもよい。
【００２１】
通信装置１０を操作するユーザが、通信装置１０に閾値を入力してもよく、通信装置２０が、閾値を設定したメッセージを通信装置１０へ送信してもよい。
【００２２】
通信制御部１２は、通信量判定部１１において通信装置２０の通信量が閾値を超えていると判定された場合、ネットワーク１と通信装置２０との間の通信を中継するように制御する。つまり、通信制御部１２は、通信装置２０のネットワーク２と通信を行う通信手段１０３をオフとし、無線LAN通信を行う無線LAN通信手段１０２を起動させる。そして、無線LAN通信手段を用いることで、ＬＡＮ回線を介して通信装置２０から送信されたデータを、ＷＡＮ回線を介してネットワーク１へ送信する。もしくは、通信制御部１２は、ＷＡＮ回線を介してネットワーク１から送信されたデータを、ＬＡＮ回線を介して通信装置２０へ送信する。
【００２３】
以上説明したように、通信装置１０は、通信装置２０の通信量が閾値を超えているか否かを判定することができる。さらに、通信装置１０は、通信装置２０の通信量が閾値を超えている場合、ネットワーク１と通信装置２０との間の通信を中継することができる。これによって、通信装置２０は、例えばインターネットを介した通信等を行う場合に、通信装置１０及び通信装置２０を介してインターネットへ接続することができる。つまり、通信装置２０は、ネットワーク２との間の通信量が、ネットワーク２において高速通信を行うことができる最大通信量に近づいた場合に、ネットワーク２を介してインターネットへ接続するのではなく、ネットワーク１を介してインターネットへ接続することができる。
【００２４】
例えば、ネットワーク２を介した高速通信の通信速度は、ネットワーク１を介した通信の通信速度よりも速いとし、ネットワーク２を介した低速通信の通信速度は、ネットワーク１を介した通信の通信速度よりも遅いとする。このような場合に、通信装置２０は、通信量が最大通信量に近づいた場合に、ネットワーク２を介した通信を継続すると、最大通信量を超えてしまう。通信装置２０は、通信量が最大通信量を超えると、高速通信から低速通信へ移行する。
【００２５】
しかし、通信装置２０は、通信量が最大通信量に近づいた場合に、通信装置１０を介してネットワーク１を介した通信に切り替えることによって、低速通信の使用を回避することができる。そのため、通信装置２０は、低速通信よりも通信速度が速いネットワーク１を介した通信を実行することができる。これによって、通信装置２０を操作するユーザは、通信量が最大通信量に達する前に、ネットワーク１を介した通信を行うことができるため、低速回線の使用を回避もしくは、低速回線を使用する機会を遅らせることができる。これによって、ユーザの満足度を向上させることができる。
【００２６】
続いて、図３を用いて本発明の実施の形態２にかかる通信システムの具体的な構成例について説明する。図３の通信システムは、モバイルルータ３０、スマートフォン端末５０、ＷｉＭＡＸネットワーク６０及びＬＴＥネットワーク７０を有している。モバイルルータ３０は、図２の通信装置１０に相当し、スマートフォン端末５０は、図２の通信装置２０に相当し、ＷｉＭＡＸネットワーク６０は、図２のネットワーク１に相当し、ＬＴＥネットワーク７０は、図２のネットワーク２に相当する。スマートフォン端末５０は、ＷｉＭＡＸネットワーク６０もしくはＬＴＥネットワーク７０を介して、いわゆるインターネット上のサーバ装置等へアクセスする。
【００２７】
図３の通信システムにおいては、ＬＴＥネットワーク７０における高速通信の通信速度は、ＷｉＭＡＸネットワーク６０における通信速度よりも早く、ＬＴＥネットワーク７０における低速通信の通信速度は、ＷｉＭＡＸネットワーク６０における通信速度よりも遅いとする。また、ＬＴＥネットワーク７０は、スマートフォン端末５０が、あらかじめ定められたパケット上限数までの通信においては、高速通信を適用し、パケット上限数を超えた後の通信においては、低速通信に移行する。また、ＷｉＭＡＸネットワーク６０においては、パケット上限数の設定はないとする。
【００２８】
図３の通信システムは、スマートフォン端末５０が、モバイルルータ３０を介してＷｉＭＡＸネットワーク６０へ接続している様子を示している。つまり、スマートフォン端末５０は、ＷｉＭＡＸネットワーク６０を介して、インターネット等の公衆ネットワークへ接続する様子を示している。この場合、モバイルルータ３０は、スマートフォン端末５０とＷｉＭＡＸネットワーク６０との間の通信を中継する。
【００２９】
これに対して、図４の通信システムは、スマートフォン端末５０が、ＬＴＥネットワーク７０を介して、インターネット等の公衆ネットワークへ接続する様子を示している。つまり、スマートフォン端末５０は、モバイルルータ３０を介することなく、ＬＴＥネットワーク７０へ接続する。図３及び図４において示したように、スマートフォン端末５０は、ＷｉＭＡＸネットワーク６０もしくはＬＴＥネットワーク７０を介してインターネット等の公衆ネットワークへ接続する。
【００３０】
続いて、図５を用いて本発明の実施の形態２にかかるモバイルルータ３０の構成例について説明する。モバイルルータ３０は、通信量判定部３１、通信制御部３２、モード管理部３３、ＷｉＭＡＸ通信部３４、ＮＦＣ通信部３５、無線ＬＡＮ通信部３６、電源管理部３７及び電池３８を有している。
【００３１】
通信量判定部３１は、図２の通信量判定部１１に相当する。通信量判定部３１は、パケット上限数格納部３９及び通信パケット数カウント部４０を有している。パケット上限数格納部３９は、スマートフォン端末５０がＬＴＥネットワーク７０と高速通信を行うことができる上限のパケット数を示すパケット上限数に関する情報を格納している。パケット上限数格納部３９は、モバイルルータ３０を操作するユーザによって入力されたパケット上限数の情報を保持してもよく、スマートフォン端末５０から送信されたメッセージに設定されているパケット上限数の情報を抽出し、抽出したパケット上限数の情報を保持してもよい。
【００３２】
通信パケット数カウント部４０は、スマートフォン端末５０から通知された通信パケット数に関する情報を保持する。通信パケット数に関する情報は、スマートフォン端末５０がモバイルルータ３０に接続したタイミングにおける、スマートフォン端末５０とＬＴＥネットワーク７０との間において現在までに通信されたパケット数であってもよい。つまり、通信パケット数は、スマートフォン端末５０が、ＬＴＥネットワーク７０へ送信したパケット数及びＬＴＥネットワーク７０から受信したパケット数を合計した数である。さらに、通信パケット数カウント部４０は、スマートフォン端末５０における通信パケット数が、閾値を超えているか否かを判定する。
【００３３】
閾値は、例えば、通信パケット数÷パケット上限数、により算出される割合が９０％と設定されてもよい。このような場合、通信パケット数カウント部４０は、パケット上限数格納部３９からパケット上限数に関する情報を取得し、通信パケット数÷パケット上限数×１００が、９０を超えるか否かを判定する。つまり、通信パケット数カウント部４０は、スマートフォン端末５０から通知された通信パケット数のパケット上限数に対する割合が９０％を超えているか否かを判定し、判定結果を通信制御部３２へ通知する。閾値は、９０％以外に、任意の値に設定することができる。
【００３４】
ＮＦＣ通信部３５は、ＮＦＣ通信方式を用いてスマートフォン端末５０と接続する。ＮＦＣ通信部３５は、例えば、ＮＦＣ通信を行う際に用いるアンテナ、及びデータの変調及び復調を行う回路等を含んでもよい。ＮＦＣ通信部３５は、ＮＦＣ通信方式を用いてスマートフォン端末５０と接続すると、スマートフォン端末５０から、スマートフォン端末５０における通信パケット数に関する情報を受け取る。ＮＦＣ通信部３５は、スマートフォン端末５０における通信パケット数に関する情報を、通信制御部３２を介して通信パケット数カウント部４０へ出力する。なお、NFC通信で種々の情報を送受可能であり、例えば、ここでは、通信代理の可否の確認用信号を含ませて送出させてもよい。そして、端末５０は、この信号を受け取った場合に限り、通信パケット数に関する情報を受け取る。
【００３５】
無線ＬＡＮ通信部３６は、無線ＬＡＮ通信方式を用いてスマートフォン端末５０と接続する。無線ＬＡＮ通信部３６は、例えば、無線ＬＡＮ通信を行う際に用いるアンテナ、及びデータの変調及び復調を行う回路等を含んでもよい。無線ＬＡＮ通信方式は、例えば、ＩＥＥＥ８０２．１１において定められている複数の標準規格が用いられてもよい。無線ＬＡＮ通信部３６は、スマートフォン端末５０と接続する際に、ＡＰ（Access Point）として動作する。また、無線ＬＡＮ通信部３６は、子機として動作し、光通信回線等を介して通信事業者ネットワークへ接続するＡＰと接続してもよい。
【００３６】
ＷｉＭＡＸ通信部３４は、ＷｉＭＡＸ通信方式を用いて、ＷｉＭＡＸネットワーク６０と接続する。ＷｉＭＡＸ通信部３４は、例えば、ＷｉＭＡＸ通信を行う際に用いるアンテナ、及びデータの変調及び復調を行う回路等を含んでもよい。ＷｉＭＡＸ通信部３４は、電源管理部３７を介して電池３８から通信制御部３２へ電源が供給されている場合に、常にＷｉＭＡＸネットワーク６０に接続していてもよく、送信データが存在しない場合にはＷｉＭＡＸネットワーク６０との切断し、送信データが発生した場合にのみＷｉＭＡＸネットワーク６０と接続してもよい。
【００３７】
モード管理部３３は、パケット数カウント切替モード、強制回線切替モード及び固定モードのいずれかを、モバイルルータ３０の動作モードとして設定している。モード管理部３３は、設定している動作モードに関する情報を通信制御部３２へ出力する。
【００３８】
パケット数カウント切替モードにおいては、モバイルルータ３０は、スマートフォン端末５０における通信パケット数をカウントする。さらに、モバイルルータ３０は、通信パケット数に応じて、スマートフォン端末５０の通信事業者ネットワークへの接続先を、ＬＴＥネットワーク７０からＷｉＭＡＸネットワーク６０へ切り替える。
【００３９】
強制回線切替モードにおいては、モバイルルータ３０は、スマートフォン端末５０の通信手段１０３を、通信手段１０２に切り替えるように指示を行う。これにより、端末５０は、無線LAN通信を行い、モバイルルータ３０と接続確立する。モバイルルータ３０は、端末５０の通信データを送受し、送受した通信データをモバイルルータの接続先ネットである、WiMAXネットワーク６０に対し送受する。
このように、端末５０による通信ネットワークとの通信は、モバイルルータ５０が代理することで、端末５０から見ると、通信事業者ネットワークへの接続先を、強制的にＬＴＥネットワーク７０からＷｉＭＡＸネットワーク６０へ切り替わることとなる。固定モードにおいては、モバイルルータ３０は、スマートフォン端末５０の通信事業者ネットワークへの接続先を、ＬＴＥネットワーク７０からＷｉＭＡＸネットワーク６０へ切り替えない。
【００４０】
通信制御部３２は、スマートフォン端末５０とＷｉＭＡＸネットワーク６０との間の通信を中継するか否かを制御する。通信制御部３２は、設定されているモードに応じて動作が異なる。はじめに、パケット数カウント切替モードが設定されている場合について説明する。パケット数カウント切替モードが設定されている場合、通信制御部３２は、通信パケット数カウント部４０から、スマートフォン端末５０の通信パケット数÷パケット上限数（以下、通信パケット数割合と称する）が、閾値を超えているか否かの判定結果を用いて、スマートフォン端末５０とＷｉＭＡＸネットワーク６０との間の通信を中継するか否かを決定する。
【００４１】
具体的には、通信制御部３２は、スマートフォン端末５０の通信パケット数割合が、閾値を超えているとの判定結果を受け取ると、無線ＬＡＮ通信方式を用いて、無線ＬＡＮ通信部３６とスマートフォン端末５０とを接続させる。つまり、通信制御部３２は、無線ＬＡＮ通信部３６へ、スマートフォン端末５０との間の通信を確立することを指示するメッセージを出力する。
【００４２】
通信制御部３２は、無線ＬＡＮ通信部３６とスマートフォン端末５０との間において無線ＬＡＮ通信が確立すると、ＷｉＭＡＸ通信方式を用いて、ＷｉＭＡＸ通信部３４とＷｉＭＡＸネットワーク６０とを接続させる。つまり、通信制御部３２は、ＷｉＭＡＸ通信部３４へ、ＷｉＭＡＸネットワーク６０との間の通信を確立することを指示するメッセージを出力する。
【００４３】
通信制御部３２は、スマートフォン端末５０との間に無線ＬＡＮ通信を確立し、ＷｉＭＡＸネットワーク６０との間にＷｉＭＡＸ通信を確立すると、スマートフォン端末５０とＷｉＭＡＸネットワーク６０との間の通信を中継する。つまり、通信制御部３２は、無線ＬＡＮ通信部３６を介してスマートフォン端末５０から送信されたデータをＷｉＭＡＸ通信部３４を介して、ＷｉＭＡＸネットワーク６０へ送信する。もしくは、通信制御部３２は、ＷｉＭＡＸ通信部３４を介してＷｉＭＡＸネットワーク６０から送信されたデータを無線ＬＡＮ通信部３６を介して、スマートフォン端末５０へ送信する。
【００４４】
通信制御部３２は、ＷｉＭＡＸ通信部３４及び無線ＬＡＮ通信部３６を用いた通信を確立すると、スマートフォン端末５０へ、ＬＴＥネットワーク７０との接続を切断することを指示するメッセージ（切断指示メッセージ）を送信する。通信制御部３２は、切断指示メッセージを、ＮＦＣ通信部３５を介してスマートフォン端末５０へ送信してもよく、無線ＬＡＮ通信部３６を介してスマートフォン端末５０へ送信してもよい。
【００４５】
通信制御部３２は、スマートフォン端末５０の通信パケット数割合が、閾値を超えていないとの判定結果を受け取ると、無線ＬＡＮ通信部３６及びＷｉＭＡＸ通信部３４を用いた通信の確立を行わない。つまり、通信制御部３２は、スマートフォン端末５０とＷｉＭＡＸネットワーク６０との間の通信を中継しない。
【００４６】
強制切替モードにおいては、通信制御部３２は、ＮＦＣ通信部３５とスマートフォン端末５０とが接続されると、スマートフォン端末５０における通信パケット数割合が閾値を超えているか否かを判定することなく、無線ＬＡＮ通信部３６及びＷｉＭＡＸ通信部３４を用いた通信を確立する。つまり、ＮＦＣ通信部３５とスマートフォン端末５０とが接続されると、通信制御部３２は、スマートフォン端末５０とＷｉＭＡＸネットワーク６０との間の通信を中継する。
【００４７】
固定モードにおいては、通信制御部３２は、スマートフォン端末５０とＷｉＭＡＸネットワーク６０との間の通信を中継するための処理を実行しない。つまり、通信制御部３２は、無線ＬＡＮ通信部３６及びＷｉＭＡＸ通信部３４を用いた通信の確立を行わない。
【００４８】
続いて、図６を用いて本発明の実施の形態２にかかるモバイルルータ３０においてパケット数カウント切替モードが設定されている場合の処理の流れについて説明する。
【００４９】
はじめに、ＮＦＣ通信部３５は、スマートフォン端末５０とＮＦＣ通信を開始する（Ｓ１１）。具体的に、ＮＦＣ通信部３５は、スマートフォン端末５０との間の通信を確立し、スマートフォン端末５０とデータの送受信を行う。モバイルルータ３０及びスマートフォン端末５０を有するユーザは、モバイルルータ３０とスマートフォン端末５０とを接触させる、もしくは、ＮＦＣ通信を行うことができる程度の距離まで近づけることによって、ＮＦＣ通信部３５とスマートフォン端末５０との間の通信を確立してもよい。
【００５０】
次に、ＮＦＣ通信部３５は、例えば、通信代理の可否の確認用信号を含ませて送出し、スマートフォン端末５０から、スマートフォン端末５０の通信パケット数及びパケット上限数に関する情報を受信する（Ｓ１２）。ユーザ等が、モバイルルータ３０にパケット上限数に関する情報を入力する場合、ＮＦＣ通信部３５は、スマートフォン端末５０からパケット上限数に関する情報を受信しなくてもよい。
なお、通信代理の可否の確認用信号と共に、強制切替モードとするか固定モードとするかを設定するためのモード変更の情報を含ませてもよい。
【００５１】
次に、通信パケット数カウント部４０は、スマートフォン端末５０における通信パケット数割合が、閾値以上であるか否かを判定する（Ｓ１３）。通信パケット数カウント部４０は、通信パケット数割合が閾値より小さいと判定した場合、処理を終了する。
【００５２】
通信制御部３２は、通信パケット数カウント部４０において通信パケット数割合が閾値以上であると判定された場合、無線ＬＡＮ通信部３６から、スマートフォン端末５０へ無線ＬＡＮ通信切替メッセージを送信する（Ｓ１４）。無線ＬＡＮ通信切替メッセージは、無線ＬＡＮ通信切替フレームと称されてもよい。無線ＬＡＮ通信切替メッセージは、無線ＬＡＮ通信部３６とスマートフォン端末５０との間において無線ＬＡＮ通信を確立するために用いられる。
【００５３】
次に、無線ＬＡＮ通信部３６は、無線ＬＡＮ通信切替メッセージに対する応答メッセージとして、スマートフォン端末５０から送信された無線ＬＡＮ通信接続メッセージを受信する（Ｓ１５）。無線ＬＡＮ通信部３６が、無線ＬＡＮ通信接続メッセージを受信することによって、無線ＬＡＮ通信部３６とスマートフォン端末５０との間の無線ＬＡＮ通信が確立する。
【００５４】
次に、通信制御部３２は、ＷｉＭＡＸ通信部３４とＷｉＭＡＸネットワーク６０との間の通信を確立し、ＷｉＭＡＸネットワーク６０と接続する（Ｓ１６）。次に、通信制御部３２は、スマートフォン端末５０へ、スマートフォン端末５０とＬＴＥネットワーク７０との間に確立された通信を切断することを指示する切断指示メッセージを送信する（Ｓ１７）。モバイルルータ３０がスマートフォン端末５０へ、切断指示メッセージを送信することによって、スマートフォン端末５０は、ＬＴＥネットワーク７０との間の通信を切断し、モバイルルータ３０を介してＷｉＭＡＸネットワーク６０と接続する。
【００５５】
続いて、図７を用いて本発明の実施の形態２にかかるモバイルルータ３０において強制切替モードが設定されている場合の処理の流れについて説明する。
【００５６】
はじめに、ＮＦＣ通信部３５は、スマートフォン端末５０とＮＦＣ通信を開始する（Ｓ２１）。パケット数カウント切替モードにおいては、この後に、通信パケット数割合と閾値とを比較したが、強制切替モードにおいては、ＮＦＣ通信部３５とスマートフォン端末５０とが接続すると、通信制御部３２は無線ＬＡＮ通信部３６から、スマートフォン端末５０へ無線ＬＡＮ通信切替メッセージを送信する（Ｓ２２）。つまり、通信制御部３２は、ＮＦＣ通信部３５とスマートフォン端末５０とが接続したことを契機として、無線ＬＡＮ通信切替メッセージを送信する。ステップＳ２２〜ステップＳ２５は、図１のステップＳ１４〜ステップＳ１７と同様であるため詳細な説明を省略する。
【００５７】
強制切替モードにおいては、モバイルルータ３０とスマートフォン端末５０とが接続すると、モバイルルータ３０は、強制的に、スマートフォン端末５０とＬＴＥネットワーク７０との間の通信を切断させ、スマートフォン端末５０とＷｉＭＡＸネットワーク６０との間の通信を中継する。
【００５８】
続いて、図８を用いて本発明の実施の形態２にかかるモバイルルータ３０において固定モードが設定されている場合の処理の流れについて説明する。
【００５９】
はじめに、ＮＦＣ通信部３５は、スマートフォン端末５０とＮＦＣ通信を開始する（Ｓ３１）。ステップＳ３１の後に、パケット数カウント切替モードにおいては、通信パケット数と閾値とを比較する処理を実行し、強制切替モードにおいては、モバイルルータ３０とスマートフォン端末５０との間に無線ＬＡＮ通信を確立する処理を実行していた。しかし、固定切替モードにおいては、スマートフォン端末５０とＬＴＥネットワーク７０との間の通信を継続させ、スマートフォン端末５０とＷｉＭＡＸネットワーク６０との間の通信を中継しない。そのため、ステップＳ３１以降、モバイルルータ３０は、スマートフォン端末５０とＷｉＭＡＸネットワーク６０との間の通信を中継するための処理を実行しない。つまり、モバイルルータ３０は、ＮＦＣ通信によってスマートフォン端末５０から送信されたデータを、ＷｉＭＡＸネットワーク６０へ転送することはなく、スマートフォン端末５０との間に無線ＬＡＮ通信を確立することもない。
【００６０】
以上説明したように、実施の形態２にかかる通信システムを用いることによって、モバイルルータ３０は、設定した動作モードに応じて実行する処理を変更することができる。
【００６１】
パケット数カウント切替モードにおいては、スマートフォン端末５０における通信パケット数が、パケット上限数に達する前に、スマートフォン端末５０の通信先をＷｉＭＡＸネットワーク６０に切り替えることができる。ＷｉＭＡＸネットワーク６０における通信速度は、ＬＴＥネットワーク７０における高速通信の通信速度よりも遅いが、ＬＴＥネットワーク７０における低速通信の通信速度よりも速い。スマートフォン端末５０は、通信パケット数割合が閾値を超えた場合に、通信先をＬＴＥネットワーク７０からＷｉＭＡＸネットワーク６０へ切り替えることによって、ＬＴＥネットワーク７０の低速通信を行わなければいけない状況へ遷移するタイミングを遅らせることができる。つまり、スマートフォン端末５０を保持するユーザは、ＬＴＥネットワーク７０における低速通信よりも速い通信速度のＷｉＭＡＸネットワーク６０を利用することによって、低速通信を長い期間行う場合と比較して、通信速度に対する満足度を向上させることができる。
【００６２】
強制切替モードにおいては、スマートフォン端末５０が、モバイルルータ３０とＮＦＣ通信を行う距離に存在する場合には、ＬＴＥネットワーク７０との通信を切断し、無線ＬＡＮ通信を用いてモバイルルータ３０と接続する。つまり、スマートフォン端末５０は、モバイルルータ３０を介してＷｉＭＡＸネットワーク６０と通信を行うようにする。このように使用することによって、パケット数カウント切替モードよりも、ＬＴＥネットワーク７０の低速通信を行わなければいけない状況へ遷移するタイミングをさらに遅らせることができる。
【００６３】
なお、実施の形態２においては、ＮＦＣ通信を用いてモバイルルータ３０とスマートフォン端末５０とを接続した後に、無線ＬＡＮ通信を用いてモバイルルータ３０とスマートフォン端末５０とを接続する例について説明したが、無線ＬＡＮ通信の代わりにBluetooth（登録商標）が用いられてもよい。Bluetooth（登録商標）を用いることによって、無線ＬＡＮ通信を用いる場合と比較して、低消費電力化の実現が可能となる。
【００６４】
（実施の形態３）
続いて、図９を用いて本発明の実施の形態３にかかる切替処理の流れについて説明する。実施の形態２のパケット数カウント切替モードにおいては、スマートフォン端末５０における通信パケット数割合と閾値とを比較して、スマートフォン端末５０の通信先をＬＴＥネットワーク７０からＷｉＭＡＸネットワーク６０へ切り替えるか否かを判定した。実施の形態３においては、モバイルルータ３０が、スマートフォン端末５０において使用されているアプリケーションに応じてスマートフォン端末５０の通信先をＬＴＥネットワーク７０からＷｉＭＡＸネットワーク６０へ切り替えるか否かを判定する。
【００６５】
モバイルルータ３０は、スマートフォン端末５０において使用されるアプリケーションが、高速通信を必要とするか否かをあらかじめ定めてもよい。例えば、ストリーミング動画を再生するアプリケーションは、高速通信を必要とし、Ｗｅｂページへのアクセスを行うアプリケーションは、高速通信を必要としない等と、アプリケーションごとに、高速通信を必要とするか否かを定めてもよい。
【００６６】
モバイルルータ３０は、スマートフォン端末５０において高速通信を必要としないアプリケーションが使用されている場合には、スマートフォン端末５０の通信先をＬＴＥネットワーク７０からＷｉＭＡＸネットワーク６０へ切り替えるように処理を実行し、高速通信を必要とするアプリケーションが使用されている場合は、スマートフォン端末５０の通信先をＬＴＥネットワーク７０のままとするようにしてもよい。
【００６７】
続いて、図９における切替処理の流れについて説明する。はじめに、ＮＦＣ通信部３５は、スマートフォン端末５０とＮＦＣ通信を開始する（Ｓ４１）。次に、ＮＦＣ通信部３５は、スマートフォン端末５０から、スマートフォン端末５０において使用されているアプリケーションに関する情報を取得する（Ｓ４２）。
【００６８】
次に、通信制御部３２は、スマートフォン端末５０において使用されているアプリケーションが、高速通信を必要とするアプリケーションとして予め定められたアプリケーションであるか否かを判定する（Ｓ４３）。
【００６９】
通信制御部３２は、スマートフォン端末５０において使用されているアプリケーションが、高速通信を必要とするアプリケーションとして予め定められたアプリケーションではないと判定した場合、ステップＳ４４以降の、切替処理を実行する。ステップＳ４４〜ステップＳ４７は、図６のステップＳ１４〜ステップＳ１７と同様であるため詳細な説明を省略する。通信制御部３２は、スマートフォン端末５０において使用されているアプリケーションが、高速通信を必要とするアプリケーションとして予め定められたアプリケーションであると判定した場合、処理を終了する。つまり、この場合、通信制御部３２は、スマートフォン端末５０の通信先を切り替える処理を実行しない。
【００７０】
以上説明したように、本発明の実施の形態３にかかる切替処理を実行することによって、スマートフォン端末５０は、ＬＴＥネットワーク７０における高速通信を行う必要がないアプリケーションを使用している場合には、ＷｉＭＡＸネットワーク６０を利用することによって、ＬＴＥネットワーク７０における通信パケット数の増加を防止することができる。これによって、ＬＴＥネットワーク７０の低速通信を行わなければいけない状況へ遷移するタイミングを遅らせることができる。
【００７１】
上述の実施の形態では、本発明をハードウェアの構成として説明したが、本発明は、これに限定されるものではない。本発明は、モバイルルータ３０における処理を、ＣＰＵ（Central Processing Unit）にコンピュータプログラムを実行させることにより実現することも可能である。）
【００７２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
なお、本発明は上記実施の形態に限られたものではなく、趣旨を逸脱しない範囲で適宜変更することが可能である。
【００７４】
（付記１）第一の通信装置と通信を行う第一の通信手段と、前記第一の通信手段を介して、前記第一の通信装置が第二の通信装置と行う通信の通信状況を取得し、前記通信状況に基づいて、前記第一の通信装置と前記第二の通信装置との間の通信経路を変更させる変更指示を出力する制御手段とを有する、通信装置。
（付記２）前記制御手段は、前記第一の通信装置が有する、前記第一の通信手段に対応する第二の通信手段から、前記通信状況を取得する、付記１に記載の通信装置。
（付記３）前記制御手段は、前記第一の通信装置の有する第二の通信手段とは異なる第三の通信手段による通信状況を取得することを特徴とする、付記１又は２に記載の、通信装置。
（付記４）前記制御手段は、前記通信状況が所定値以上である場合には、前記変更指示に、前記第三の通信手段による通信を制限する制限指示を行う、付記３に記載の通信装置。
（付記５）前記制御手段は、前記通信状況が所定値以上である場合には、前記第一の通信装置に対し、前記第三の通信手段に替えて、前記第二の通信手段による通信を継続する継続指示を行う付記３又は４に記載の通信装置。
（付記６）前記制御手段は、前記通信状況を取得した後に行われた前記第一の通信手段による通信において、前記通信状況を取得する、付記１乃至５のいずれか１項に記載の通信装置。
（付記７）前記制御手段は、前記通信状況を取得するための機能を有し、前記機能を起動した状態において行われた前記第一の通信手段による通信において、前記通信状況を取得する、付記１乃至５のいずれか１項に記載の、通信装置。
（付記８）前記第一の通信手段は、非接触ICタグを利用した通信であることを特徴とする、請求項１乃至７のいずれか１項に記載の、通信装置。
（付記９）第一の通信手段を有する通信装置と、第二の通信手段と、第三の通信手段を有する第一の通信装置と、前記第一の通信装置の前記第三の通信手段と通信を行う第二の通信装置とからなり、前記通信装置は、前記第一の通信手段を介して、前記第一の通信装置の第三の通信手段による通信状況を取得し、前記取得した結果に基づいて、前記第一の通信装置に対して、前記第三の通信手段による通信に替えて、第二の通信手段によって、前記第二の通信装置と通信させることを特徴とする、通信システム。
（付記１０）第一の通信手段を介して、第一の通信装置が第二の通信装置と行う通信の通信状況を取得し、前記通信状況に基づいて、前記第一の通信装置と前記第二の通信装置との間の通信経路を変更させる変更指示を出力する、通信制御方法。
（付記１１）第一の通信手段を介して、第一の通信装置が第二の通信装置と行う通信の通信状況を取得し、前記通信状況に基づいて、前記第一の通信装置と前記第二の通信装置との間の通信経路を変更させる変更指示を出力することをコンピュータに実行させるプログラム。
（付記１２）第一のＷＡＮ回線を用いて第一の通信事業者ネットワークと接続する第一の通信装置と、第二のＷＡＮ回線を用いて第二の通信事業者ネットワークと接続し、さらに、第一のＬＡＮ回線を用いて前記第一の通信装置と接続する第二の通信装置と、を備え、前記第一の通信装置は、前記第一のＬＡＮ回線を用いて前記第二の通信装置と接続した際に、前記第二の通信装置と前記第二の通信事業者ネットワークとの間の通信量が閾値を超えているか否かを判定する通信量判定部と、前記第二の通信装置の通信量が閾値を超えている場合、前記第一のＷＡＮ回線を用いて、前記第二の通信装置と、前記第一の通信事業者ネットワークとの間の通信を中継する通信制御部とを有する、通信システム。
（付記１３）前記通信制御部は、前記第二の通信装置の通信量が閾値を超えている場合、前記第一のＬＡＮ回線とは異なる第二のＬＡＮ回線を用いて前記第二の通信装置と接続し、前記第二のＬＡＮ回線及び前記第一のＷＡＮ回線を用いて、前記第二の通信装置と、前記第一の通信事業者ネットワークとの間の通信を中継する、付記１２に記載の通信システム。
（付記１４）前記通信制御部は、前記第二の通信装置と前記第二のＬＡＮ回線を用いた通信を確立したことを契機として、前記第一の通信事業者ネットワークと前記第一のＷＡＮ回線を用いた通信を確立する、付記１３に記載の通信システム。
（付記１５）前記第二の通信装置は、前記第一の通信装置と、前記第二のＬＡＮ回線を用いた通信を確立すると、前記第二のＷＡＮ回線を用いた前記第二の通信事業者ネットワークとの接続を切断する、付記１３又は１４に記載の通信システム。
（付記１６）前記第一の通信装置は、通信量判定切替モード及び強制切替モードを管理するモード管理部をさらに有し、前記通信量判定切替モードが設定されている場合、前記通信制御部は、前記通信量判定部において前記第二の通信装置の通信量が閾値を超えていると判定された場合に、前記第一のＷＡＮ回線を用いて、前記第二の通信装置と、前記第一の通信事業者ネットワークとの間の通信を中継し、前記強制切替モードが設定されている場合、前記通信制御部は、前記第一のＬＡＮ回線を用いて前記第二の通信装置と接続した際に、前記通信量判定部における前記第二の通信装置の通信量が閾値を超えているか否かを判定することなく、前記第一のＷＡＮ回線を用いて、前記第二の通信装置と、前記第一の通信事業者ネットワークとの間の通信を中継する、付記１２乃至１５のいずれか１項に記載の通信システム。
（付記１７）前記モード管理部は、固定モードをさらに管理し、前記固定モードが設定されている場合、前記通信制御部は、前記第一のＬＡＮ回線を用いて前記第二の通信装置と接続した際に、前記通信量判定部における前記第二の通信装置の通信量が閾値を超えているか否かを判定することなく、前記第二の通信装置と、前記第一の通信事業者ネットワークとの間の通信を中継しない、付記１６に記載の通信システム。
（付記１８）前記通信制御部は、前記第一の通信事業者ネットワークと、ＷｉＭＡＸ通信方式を用いて通信を確立する、付記１２乃至１７のいずれか１項に記載の通信システム。
（付記１９）第一のＷＡＮ回線を用いて第一の通信事業者ネットワークと接続するＷＡＮ回線通信部と、ＬＡＮ回線を用いて他の通信装置と接続するＬＡＮ回線通信部と、前記ＬＡＮ回線を用いて他の通信装置と接続した際に、前記他の通信装置と第二の通信事業者ネットワークとの間の通信量が閾値を超えているか否かを判定する通信量判定部と、前記他の通信装置の通信量が閾値を超えている場合、第二の通信ネットワークと前記他の通信装置との間の接続を切断させ、前記第一のＷＡＮ回線を用いて、前記他の通信装置と、前記第一の通信事業者ネットワークとの間の通信を中継する通信制御部と、を備える通信装置。
（付記２０）通信量判定切替モード及び強制切替モードを管理するモード管理部をさらに有し、前記通信量判定切替モードが設定されている場合、前記通信制御部は、前記通信量判定部において前記他の通信装置の通信量が閾値を超えていると判定された場合に、前記第一のＷＡＮ回線を用いて、前記他の通信装置と、前記第一の通信事業者ネットワークとの間の通信を中継し、前記強制切替モードが設定されている場合、前記通信制御部は、前記第一のＬＡＮ回線を用いて前記他の通信装置と接続した際に、前記通信量判定部における前記他の通信装置の通信量が閾値を超えているか否かを判定することなく、前記第一のＷＡＮ回線を用いて、前記他の通信装置と、前記第一の通信事業者ネットワークとの間の通信を中継する、付記１９に記載の通信装置。
（付記２１）前記モード管理部は、固定モードをさらに管理し、前記固定モードが設定されている場合、前記通信制御部は、前記第一のＬＡＮ回線を用いて前記他の通信装置と接続した際に、前記通信量判定部における前記他の通信装置の通信量が閾値を超えているか否かを判定することなく、前記他の通信装置と、前記第一の通信事業者ネットワークとの間の通信を中継しない、付記２０に記載の通信装置。
（付記２２）第一のＷＡＮ回線を用いて第一の通信事業者ネットワークと接続する他の通信装置とＬＡＮ回線を用いて接続するＬＡＮ回線通信部と、第二のＷＡＮ回線を用いて第二の通信事業者ネットワークと接続するＷＡＮ回線通信部と、前記ＬＡＮ回線を用いて前記他の通信装置と接続した際に、前記他の通信装置において自装置と前記第二の通信事業者ネットワークとの間の通信量が閾値を超えていると判定され、前記他の通信装置から送信された切替メッセージを受信すると、前記第二の通信事業者ネットワークとの間の接続を切断し、前記他の通信装置を介して前記第一の通信事業者ネットワークと接続する通信制御部と、を有する、通信装置。
（付記２３）ＬＡＮ回線を用いて他の通信装置と接続し、前記ＬＡＮ回線を用いて他の通信装置と接続した際に、前記他の通信装置と、前記他の通信装置とＷＡＮ回線を介して接続している第二の通信事業者ネットワークとの間の通信量が閾値を超えているか否かを判定し、前記他の通信装置の通信量が閾値を超えている場合、第二の通信事業者ネットワークと前記他の通信装置との間の接続を切断させ、前記他の通信装置と、第一の通信事業者ネットワークとの間の通信を中継する、通信方法。
（付記２４）ＬＡＮ回線を用いて他の通信装置と接続させ、前記ＬＡＮ回線を用いて他の通信装置と接続した際に、前記他の通信装置と、前記他の通信装置とＷＡＮ回線を介して接続している第二の通信ネットワークとの間の通信量が閾値を超えているか否かを判定し、前記他の通信装置の通信量が閾値を超えている場合、第二の通信事業者ネットワークと前記他の通信装置との間の接続を切断させ、前記他の通信装置と、第一の通信事業者ネットワークとの間の通信を中継することをコンピュータに実行させるプログラム。
【符号の説明】
【００７５】
１  ネットワーク
２  ネットワーク
１０  通信装置
１１  通信量判定部
１２  通信制御部
２０  通信装置
３０  モバイルルータ
３１  通信量判定部
３２  通信制御部
３３  モード管理部
３４  ＷｉＭＡＸ通信部
３５  ＮＦＣ通信部
３６  無線ＬＡＮ通信部
３７  電源管理部
３８  電池
３９  パケット上限数格納部
４０  通信パケット数カウント部
５０  スマートフォン端末
６０  ＷｉＭＡＸネットワーク
７０  ＬＴＥネットワーク
１０１  通信手段
１０２  通信手段
１０３  通信手段
１０５  制御手段
１１０  通信装置
１１１  通信装置
１１２  通信装置
【図１】
2015185903.tif 000003
【図２】
2015185903.tif 000004
【図３】
2015185903.tif 000005
【図４】
2015185903.tif 000006
【図５】
2015185903.tif 000007
【図６】
2015185903.tif 000008
【図７】
2015185903.tif 000009
【図８】
2015185903.tif 000010
【図９】
2015185903.tif 000011